(57)【要約】  部屋の音響性に作用する家具システムは、実質的に立体形状で、４つの垂直側面、水平底部及び水平頂部を有する少なくとも１点の家具(21a…21e)であって、前記側面の少なくとも２つ、好ましくは少なくとも３つは、前記１点の家具(21a…21e)の吸音レベルが１５０ないし４００Ｈｚの周波数範囲でその最大値をとるように吸音について変更され配列される少なくとも１点の家具と、４００Ｈｚより高い周波数範囲において吸音性を高めるための少なくとも１つのフラットな吸音材(22, 23, 24)と、を備えている。前記変更された側面は、孔付きパネル、特に、孔付きメタルプレートとして構成されるのが好ましく、孔の直径は、各々、少なくとも２ｍｍで、孔の程度は、少なくとも２０％であり、孔付きパネルの少なくとも片側には、厚みがせいぜい１ｍｍの多孔性材料より成る繊維材料が配置される。【選択図】図１１
2009508599.tif 000002
【特許請求の範囲】
【請求項１】
部屋の音響性に作用する家具システムにおいて、
ａ）本質的に立体形状で、４つの垂直側面、水平基部及び水平頂部を有する少なくとも１点の家具(1, 1.1…1.6, 5, 21a…21e)であって、前記側面(4)の少なくとも２つ、好ましくは少なくとも３つは、前記１点の家具(1, 1.1…1.6, 5, 21a…21e)に対する吸音の程度が１５０ないし４００Ｈｚの周波数範囲でその最大値をとるように吸音について変更され配列される少なくとも１点の家具と、
ｂ）４００Ｈｚより高い周波数範囲において吸音性を高めるための少なくとも１つのフラットな吸音材(22, 23, 24)と、
を備えた家具システム。
【請求項２】
前記変更された側面(4)は、孔付きプレート(6)の形態、特に、孔付きシートの形態であり、孔の直径は、各々、少なくとも２ｍｍで、孔の程度は、少なくとも２０％であり、前記孔付きプレート(6)の少なくとも片側には、厚みが１ｍｍ以下の多孔性材料で作られた繊維材料(8)が配置される、請求項１に記載の家具システム。
【請求項３】
前記繊維材料(8)が前記孔付きプレート(6)の内側に配置される一方、前記孔付きプレート(6)の外側はカバーされない、請求項２に記載の家具システム。
【請求項４】
前記繊維材料(8)は、人工樹脂マトリクスに埋め込まれたセルロースファイバ及び／又はガラスファイバを含み、好ましくは厚みが０．１ないし０．４ｍｍである、請求項２又は３に記載の家具システム。
【請求項５】
前記孔の直径は３ないし８ｍｍであり、前記孔の程度は２５ないし５０％である、請求項２ないし４のいずれか１項に記載の家具システム。
【請求項６】
前記１点の家具(1, 1.1…1.6, 5, 21a…21e)は、相互接続支柱(2)によって形成された格子状構造を有し、前記孔付きプレート(6)により形成される側面(4)は、支柱(2)間に保持される、請求項２ないし５のいずれか１項に記載の家具システム。
【請求項７】
前記家具(1, 1.1…1.6, 5, 21a…21e)の側面(4)の１つは、開放可能なドアにより形成され、このドアは、吸音のために変更される、請求項１ないし６のいずれか１項に記載の家具システム。
【請求項８】
前記１点の家具(1, 1.1…1.6, 5, 21a…21e)の奥行きは、２０ないし６０ｃｍである、請求項１ないし７のいずれか１項に記載の家具システム。
【請求項９】
前記フラットな吸音材(22, 23, 24)は、部屋の天井又は部屋の壁に取り付けることのできるパネルである、請求項１ないし８のいずれか１項に記載の家具システム。
【請求項１０】
請求項１ないし９のいずれかに記載の家具システムのための１点の家具において、本質的に立体形状で、４つの垂直側面、水平基部及び水平頂部を有し、吸音のために、前記側面(4)の少なくとも２つ、好ましくは少なくとも３つは、前記１点の家具(1, 1.1…1.6, 5, 21a…21e)に対する吸音の程度が１５０ないし４００Ｈｚの周波数範囲でその最大値をとるように吸音について変更され配列されるようにした、１点の家具。
【請求項１１】
前記変更された側面(4)は、孔付きプレート(6)の形態、特に、孔付きシートの形態であり、孔の直径は、各々、少なくとも２ｍｍで、孔の程度は、少なくとも２０％であり、前記孔付きプレート(6)の少なくとも片側には、厚みが１ｍｍ以下の多孔性材料で作られた繊維材料(8)が配置される、請求項１０に記載の１点の家具。
【請求項１２】
部屋の音響性に作用する方法において、
本質的に立体形状で、４つの垂直側面、水平基部及び水平頂部を有する少なくとも１点の家具(1, 1.1…1.6, 5, 21a…21e)であって、吸音性のために、前記側面(4)の少なくとも２つ、好ましくは少なくとも３つは、前記１点の家具に対する吸音の程度が１５０ないし４００Ｈｚの周波数範囲でその最大値をとるように吸音について変更され配列されるような少なくとも１点の家具(1, 1.1…1.6, 5, 21a…21e)を、望ましい吸音性が１５０ないし４００Ｈｚの周波数範囲で達成されるように構成し、且つ更に、
少なくとも１つのフラットな吸音材(22, 23, 24)を、望ましい吸音性が４００Ｈｚより高い周波数範囲で達成されるように構成する、
というようにした方法。
【発明の詳細な説明】
【技術分野】
【０００１】
本発明は、部屋の音響性に作用する家具システム、この種の家具システムに対する１点の家具、及び部屋の音響性に作用する方法に係る。
【背景技術】
【０００２】
部屋のクオリティ、即ち意図された目的（生活、仕事、作業訓練、等）に対する適合性は、その音響特性にも著しく依存する。部屋を使用する目的に基づいて異なる要求が課せられる。例えば、教会において部屋の音響性を特徴付ける中心的なパラメータである反響時間は、通常、コンクリートホール、或いは仕事部屋、居間又は作業訓練室よりも長い。
【０００３】
先ず第１に、部屋の音響性は、部屋の幾何学形状、並びに床、壁及び天井に使用される材料によって決定される。部屋の家具や、部屋の中の人によっても、他の影響が生じる。
【０００４】
オフィス、仕事部屋、作業訓練室及び居間に対する特に重要なファクタは、話が理解し易いことである。これを保証するために、特に、約２５０Ｈｚから２０００Ｈｚの周波数範囲における反響時間が、ある値（通常、０．６ないし１．０ｓ）を越えてはならない。加えて、音響最適化を行なわない通常の部屋における反響時間は、周波数が異なると変化し、その結果、ある周波数範囲は、他の周波数範囲より長く続き、ひいては、時間と共に音質が変化する。このような周波数依存性の相違も、許容できる程度まで減少されねばならない。
【０００５】
それ故、部屋の音響性を満足なものとするために、部屋の幾何学形状の適切な設計及び材料の選択は、部屋の音響性に特に作用する特定の家具要素を使用することでサポートされる。音響的にそれ自体満足ではないが既に存在する部屋が、意図された使用に対して音響的に最適化されるとき、又は既存の部屋が他の音響的要件で使用に供されるときには、より高い重要性が付与される。
【０００６】
家具要素は、主として、２つの役割、即ち音の吸収及び／又は音の偏向を処理することができる。パネルの形態のフラットな吸収要素を使用して壁及び／又は天井エリアに取り付け、主として、音を吸収し、ひいては、反響時間を全体的に減少する役割を果たすようにすることが知られている。更に、部屋に自立するように設定され、音響指向作用も果たすような音響部屋分割板も知られている。
【０００７】
既知の壁及び天井パネルは、例えば、家具によりその直前の広い壁エリアがカバーされるために、又は、大きな窓が存在するために、又は、吸収材を部屋のインテリア構造又は照明設計にしか一体化できず、又、困難さを伴うために、充分有効な面積にわたって部屋に一体化することができない。又、既知の部屋分割板（仕切り壁）は、付加的なスペースを必要とし、ひいては、使用可能な部屋の面積を減少し、又、音響的に最適な配列で位置させることができず、むしろ、主として、部屋の機能的な分割を被る。更に、既知の手段は、高い複雑さレベルで音質変化の問題に対処することしかできないと分かった。
【発明の開示】
【発明が解決しようとする課題】
【０００８】
本発明の目的は、最初に述べた技術的分野に関連され、多数の部屋、特に、オフィス、仕事部屋、作業訓練室及び居間に一体化することができ、スペース節約であり、且つ部屋の音響性、特に、音質変化の減少に関して著しい改善を果たし得る家具システムを提供することである。
【課題を解決するための手段】
【０００９】
この目的を達成する仕方は、請求項１の特徴により定義される。本発明によれば、家具システムは、本質的に立体形状で、４つの垂直側面、水平基部及び水平頂部を有する少なくとも１点の家具を備え、前記側面の少なくとも２つ、好ましくは少なくとも３つは、前記１点の家具に対する吸音の程度が１５０ないし４００Ｈｚの周波数範囲でその最大値をとるように変更され配列される。更に、家具システムは、４００Ｈｚより高い周波数範囲において吸音性を高めるための少なくとも１つのフラットな吸音材を備えている。
【００１０】
それ故、家具システムは、音響特性が互いに補足し合うような相補的要素を含む。１５０ないし４００Ｈｚの範囲は、人間が話す音声の基本周波数を含み、従って、人々が留まって互いに通信したり、電話通話をしたり、ラジオを聞いたり、テレビを見たりするオフィス、仕事部屋、作業訓練室、及び居間において部屋の音響性を最適化するときには、この範囲に高い重要性が付与される。しかしながら、現在、特にこの周波数範囲内の音発生は、通常、慣習的な部屋の家具では著しい程度まで減衰されないことが実験で示されている。それ故、この周波数範囲における反響時間は、非常に長く、部屋は雑音があると認知され、スピーチの理解が損なわれる。これより高い周波数では、減衰がより大きく、これは、ノイズスペクトルを低周波数範囲へシフトさせ、ひいては、音質変化を引き起こす。又、天井又は壁の吸音材、音響パネル、カーペット、カーテン、等の慣習的なフラットな吸音材も、通常、４００Ｈｚより高い範囲に吸収最大値を有する。
【００１１】
本発明の家具システムは、特に低い周波数範囲において音を吸収する、ここに示す１点の家具により、低い周波数範囲での吸音をサポートする。それ故、本発明の家具システムの状況において、部屋の境界（床、壁、天井）に主として配列されるフラットな吸音材、及び部屋におそらく分散される三次元の１点又は複数点の家具は、互いに相補的であり、約１５０ないし約２５００Ｈｚの当該周波数領域において、良好で且つ可能な限り周波数独立の吸音性を達成できるようにする。
【００１２】
それ故、部屋の音響性に作用する方法は、１５０ないし４００Ｈｚの周波数範囲において希望の吸音を達成できるように、前記１点の家具、又は複数点の家具を配列し、そして更に、４００Ｈｚより高い周波数範囲においても希望の吸音を達成できるように、少なくとも１つのフラットな吸音材を配列することを含む。
【００１３】
フラットな吸音材は、部屋の天井又は部屋の壁に取り付けできるパネルであるのが好ましい。このようなパネルは既知であり、４００Ｈｚ以上の周波数において高レベルの吸音を許す。
【００１４】
或いは又、この範囲の吸音は、吸音性のフラットな部屋分割板（自立式音響パネル）、或いは床の被覆、天井又は壁要素、及び／又はフラットなテキスタイル（例えば、カーペット、カーテン）により対処される。
【００１５】
本発明による１点の家具の変更側面は、好都合にも、孔付きプレートの形態、特に孔付きシートの形態であり、孔の直径は各々少なくとも２ｍｍで、孔の程度は少なくとも２０％で、孔付きプレートの少なくとも片側には、厚みが１ｍｍ以下の多孔性材料で作られた繊維材料が配置される。このような組み合せは、低い周波数でも高レベルの吸音を許すと同時に、安定性、取り扱い及び審美性に関して家具の側面として非常に適していることが分った。
【００１６】
審美性、安定性及び取り扱いに関して孔付きプレートにとって特に好都合なものは、孔付きシートであるが、木やプラスチックで作られた孔付きプレートも適している。孔の直径が通常約０．５ｍｍに過ぎず、且つ孔の程度（即ち、孔の面積の和と全面積との比）が非常に小さい「マイクロパーフォレーション（極微孔）」として知られているものと比較して、当該周波数範囲における等価音減衰について著しく低い製造コストが得られる。より大きな厚みの他の吸音材（例えば、発泡材）に比べて、薄い繊維材料は、審美的に心地良い家具設計を許すと共に、既存の家具設計に対して設計調整をほとんど又は全く必要としない。又、例えば、大きな面積にわたり孔付きプレートに接着接合できることにより、軽量であり且つ処理が容易である。
【００１７】
繊維材料は、孔付きプレートの内側にのみ配置される一方、孔付きプレートの外側は、カバーされないのが好ましい。それ故、高い要求が課せられる外側は、比較的抵抗力のある清掃容易な孔付きプレート、例えば、孔付きシートでより形成され、一方、内側の繊維材料は、この孔付きプレートにより露出から保護される。
【００１８】
或いは又、繊維材料は、家具の外側に付加的に又は占有的に配置される。又、同じ１点の家具の異なる側面に異なる仕方で繊維材料を配置することもできる。
【００１９】
本発明による１点の家具は、人工樹脂マトリクスに埋め込まれたセルロースファイバ及び／又はガラスファイバで作られた繊維材料であって、好ましくは厚みが０．１−０．４ｍｍの繊維材料に特に適している。例えば、適当な材料は、ドイツ、ウエインハイムのＦｒｅｕｄｅｎｂｅｒｇ社から“ＳｏｕｎｄＴｅｘ”という名前で入手できる。これは、厚みが丁度０．２ｍｍであるが、多孔性材料構造であるために高レベルの音響エネルギーを吸収し、又、１５０−４００Ｈｚの範囲で高レベルの吸音を達成するという目的で本発明の１点の家具に特に良く適している。高温溶融接着剤の被覆は、孔付きプレート、特に、孔付きシートに、材料を容易に、素早く且つ永久的に取り付けできることを意味する。
【００２０】
孔の直径は、３ないし８ｍｍであり、そして孔の程度は、２５ないし５０％であるのが好都合である。その結果、繊維材料と相互作用するときに高レベルの吸音を許し、製造が安価であり、且つ１点の家具に充分な安定性を与える孔付きプレートが得られる。孔の直径及び孔の程度に対して選択される特定の値は、孔付きプレートに使用される材料に特に適応される。
【００２１】
１点の家具は、相互接続された支柱により形成される格子状構造を有し、孔付きプレートにより形成された側面が支柱間に保持されるのが好都合である。このような家具は、全家具システムを構築するように容易に使用でき、そして支柱は、家具の構造安定性も見込んでおり、側面を最適な吸音のために設計できる。特に、側部プレートは、小さな厚みと、音響的に最適な孔の程度をもつことができる。
【００２２】
本発明による１点の家具において、その１点の家具の側面の１つは、開放可能なドアにより形成することができ、このドアは、吸音のために変更されない。より詳細には、このドアは、折り畳み式、引き出し式又はスライド式ドアでよい。通常、高レベルの吸音を得るのに、３つの側面の変更しか必要とされず、又、ドアを付加的に変更しても、吸音度を不均衡に増加しないことが分った。しかしながら、従来設計のドアは、特に、例えば、それを開いたときに棚として使用できるように機械的に頑丈であることが要求される場合には、音響的に変更されたもの（例えば、孔付きプレート及びフリースを含む）より著しく安価に製造することができる。
【００２３】
最大の吸音が望まれる場合には、ドアも吸音であるように変更できる。この場合には、例えば、２つの孔付きシートを互いに平行に接続し、その対向する内面に音響フリースを取り付けたものでドアが構成される。測定が示すように、いたるところで変更された１点の家具は、予想に反して良好な吸音を示し、即ち、両側に各孔があるにも関らず、まるで音を透過しない。
【００２４】
本発明の状況において使用される家具の奥行きは、２０ないし６０ｃｍであるのが好都合である。家具システムの状況において、このような家具は、個々の面、例えば、その端面だけではなく、本体でも、吸音作用を有し、それ故、フラットな吸音材と相補的な作用を有する。
【００２５】
更に別の好都合な実施形態、及び本発明の特徴の組み合せは、以下の詳細な説明及び全ての請求項に見ることができる。
【発明を実施するための最良の形態】
【００２６】
原理的に、図面内の同じ部分は、同じ参照記号で示す。
図１Ａ及び１Ｂは、本発明による家具を外部から見た概略図である。図１Ａは、家具システムの一部分であって、６個の要素１．１ないし１．６で形成された１点の家具１を示す。各要素は、直方体であり、７５０×３９５×３７５ｍｍ（Ｂ×Ｈ×Ｔ）の大きさを有する。図示された１点の家具１の大きさは、１５２５×１０９２×３７５ｍｍ（Ｂ×Ｈ×Ｔ）である。１点の家具１は、クロムメッキされたスチールチューブ２の角及び節点が、クロムメッキされた黄銅球３にねじ込まれたもので形成された格子状構造を含む。クロムメッキされたスチールチューブ２の間には、粉末被覆のシートメタルで作られたライナー要素４が取り付けられる。要素１．１ないし１．６の垂直前面において、ライナー要素４は、各々ヒンジ止めされたドアであり、このドアは、その下縁のピボット軸の周りで前方に向けて開くことができる。この家具システムは、融通性のある設計のもので、格子状の構造のために、使用する幾何学形状及びライナー要素に関する限り、非常に広範囲な様々な家具及び家具の組み合せを構築できるようにする。例えば、ガラス又は別の材料で作られたライナー要素を使用してもよいし、ドアを省略することもできるし、或いは例えば、引き出しやスライド式ドアに置き換えることもできる。
【００２７】
図１Ｂは、単一要素で構成された１点の家具５を示し、この図では、家具の背面が見えない。
【００２８】
家具１、５の右側、左側及び後側の垂直側面、即ち後壁及び側壁には、吸音フリースが内側に接着接合された孔付きシートにより形成されたライナー要素が設けられる。
【００２９】
図２Ａは、側面のための孔付きシート６の概略図であり、図示明瞭化のために最も外側の各行の孔しか示されていない。しかしながら、孔は、図示された行内で同じ孔サイズ、同じ孔間隔で続き、シートの外面全体に均一に孔が設けられる。孔７は、丸く、直径が５ｍｍであり、１つの行における隣接孔７の中心間隔は１０ｍｍである。隣接行の間隔は、５ｍｍであり、それらの孔７は、各々、孔の間隔の半分、即ち５ｍｍだけ変位される。それ故、得られる孔の程度は、約３０％であり、即ち孔面積の合計が、全平面シート面積の３０％となる。
【００３０】
図２Ａに示すシート６は、その縁領域が、図２Ｂの断面図に概略的に示すように、内側に折り返されている。それ故、これは、家具構造体のスチールチューブ２のための適当なリセプタクルを形成し、それらの間に保持することができる。フリース８は、シートの内側に接着接合される。その面積は、シート６の平面領域の面積にほぼ対応し、それ故、孔７は、その内側がフリース８で全てカバーされる。フリース８は、セルロースファイバ及びガラスファイバより成り、人工樹脂で結合される。フリースの構造は、毛羽立ったもので、その厚みは、約０．２ｍｍである。これは、例えば、ドイツのドイツ、ウエインハイムのＦｒｅｕｄｅｎｂｅｒｇ社から入手できるフリース材料ＳｏｕｎｄＴｅｘ（登録商標）Ｃ  １９８６  ＳＰ／ＷＰに適している。
【００３１】
図１を参照して上述した４点の家具１ａ・・・１ｄを使用して、反響室９において測定（ＩＳＯ  ３５４による）を行い、変更された側面の異なる配列について音響特性を検査した。
【００３２】
反響時間Ｔrevは、通常そうであるように、音放射のための中断時間（減衰周期ｔ0を含む）と、１から１０００までの音圧の低下（６０ｄＢ）に対応する時間ｔ60との間の時間周期を意味するものとしてその後に理解される。反響時間Ｔrev及び部屋の容積から、「セービンの方程式」として知られたものを使用して等価音響吸音面積Ａを決定することができる。
2009508599.tif 000003
【００３３】
等価音響吸音面積Ａは、部屋における材料の吸音作用の尺度であり、異なる吸音材間、特に、フラットな吸音材と三次元吸音材との間の直接的な比較を許す。これは、理想的な等価吸音手段の面積に対応し、ここで、理想的な吸音手段とは、全周波数において１００％吸音で且ついかなる反射も生じない（仮説）材料である（オープンウインドウ）。反響時間Ｔrev、ひいては、等価音響吸音面積Ａは、音放射の周波数ｆに依存することに注意されたい。
【００３４】
２１４ｍ3の容積を有し、測定に使用される反響室は、反響時間が１００Ｈｚにおいて約２０ｓであり、且つ５０００Ｈｚにおいて約２ｓであり、周波数範囲の２つのカットオフ値は、測定の環境において検出される。
【００３５】
第１段階では、１００Ｈｚないし５０００Ｈｚの周波数における空の反響室の反響時間Ｔrevを、１００Ｈｚ、１２５Ｈｚ、１６０Ｈｚ、２００Ｈｚ、２５０Ｈｚ、・・・５０００Ｈｚにおいて１オクターブの１／３のステップを使用して測定した。このため、使用した音放射は、ホワイトノイズであり、放射の中断に続いて、室内に均一に分散した１０個の高精度マイクロホンを使用して音響レベルを測定し、各々の反響時間を決定できるようにした。
【００３６】
次いで、テスト試料を有する反響室に同じ方法を適用した。これは、図３に概要を示すように、反響室９に図１からの４点の家具１ａ・・・１ｄを設定することにより行なった。反響室の容積Ｖと、テスト試料を伴って及び伴わずに測定された反響時間とを考慮して、全ての検査周波数に対して等価音響吸音面積Ａ1（空の反響室）及びＡ2（テスト試料を有する反響室）を決定することができ、ここで、セービンの方程式は、温度の影響を補償するように修正して使用した。
2009508599.tif 000004
但し、ｃは、検査温度における空気中の音速である（τが℃で温度を指示するときには、ｃ＝３３１＋０．６τ）。決定された吸音面積Ａ1及びＡ2から、次の減算によりテスト試料それ自体の等価吸音面積Ａxを決定することができる。
Ａx＝Ａ2−Ａ1
【００３７】
これは、異なる周波数において検査される家具構成体の吸音能力について陳述できるようにする。
【００３８】
図４ないし７は、異なる設計の側面及びドアを有する家具が検査された１００ないし５０００Ｈｚの検査周波数に基づいて要素当たりの等価吸音面積Ａxをｍ2で表わしている。
2009508599.tif 000005
【００３９】
変更された壁は、図１及び２を参照して上述したように設計され、即ちそれらは、前記フリースが後方に配列された孔付きシート（孔の程度は、３０％）によって形成された。変更されたドアは、内側及び外側の両方にフリースを有する各孔付きシートを備えている。
【００４０】
図４及び５の比較からはっきり分るように、変更された面は、１００Ｈｚより高い全ての周波数において吸音性が著しく増加されている。いたるところで変更された本発明の１点の家具は、１６０ないし４００Ｈｚの周波数において特に優れた吸音性を示し、最大の吸音性は、２００−２５０Ｈｚにおいて得られる。
【００４１】
図６は、ドアが非変更である態様の吸音能力を示す。これは、孔付きシート及びフリースを有するドアの設計が、側壁及び後壁の変更より著しく高いコストを生じる限り効果的である。容易に明らかなように、得られる吸音性は若干低いが、最大吸音性が１６０ないし３１５Ｈｚの範囲にある基本的特性は、最大の態様に比して、不変である。この周波数範囲では、等価吸音面積Ａの減少が、ドアに対する変更の欠如のために約１６％であるが、より高い周波数ではそれが約３８％である。
【００４２】
図７は、ドアがなく、即ち開いた棚である別の態様の吸音能力を示す。その値は、低い周波数では、従来のドアを有する態様の場合より若干低く、そしてより高い周波数では、若干高い。この場合も、基本的特性は同じであるが、吸音の最大値は２００ないし４００Ｈｚにある。
【００４３】
上述した実施形態に基づく音響フリースを有する孔付きプレートにより家具の少なくとも２つの各側面が形成された他の家具構成について同様の測定を行った。これら全ての測定において、１５０ないし４００Ｈｚの周波数範囲内で最大吸音が観察された。
【００４４】
図８ないし１０は、本発明に基づいて変更された１点の家具の吸音能力と、吸音のための既知の音響要素との間の比較を示し、この場合も、要素当たりの等価吸音面積は、ｍ2で示されている。比較のために、側壁及び後壁は変更されているがドアは非変更である図１及び２に示す１点の家具が使用された。従って、１点の家具のための吸音曲線は、図６の曲線に対応する。
【００４５】
図８は、全面積にわたり孔付きプレート及び発泡材が装備されたフラットディスプレイ（慣習的なフラットな吸音材の一例として）に関する比較を示す。図からはっきり分るように、１点の家具の吸音性（曲線１０）は、５００Ｈｚ未満の周波数範囲において、ディスプレイの吸音性（曲線１１）を著しく上回り、あるケースでは、何倍も上回る。このようなディスプレイをこの周波数範囲に使用して、本発明に基づく１点の家具の場合と同じ吸音性を得ようとする場合には、非常に大きなディスプレイ面積が要求される。高い周波数範囲では、音響的に最適化されたフラットなディスプレイは、１点の家具より若干高い吸音性を示す。
【００４６】
図９は、１．４２ｍ2の面積をもつ、自立設定のためのフラットな音響パネルに関する比較を示し、この場合、１点の家具（曲線１０）が、全周波数範囲において、音響パネル（曲線１２）より高い吸音性を示す。この場合も、１２５ないし４００Ｈｚの範囲において最大の差が得られる。この範囲において同じ吸音作用を得るためには、約７．４ｍ2のパネル面積が必要になる（面積と吸音性との間に周波数独立の直線関係を仮定すれば）。
【００４７】
最後に、図１０は、上述した１点の家具と同じ孔付きプレート／フリース組み合せが装備され且つ４ｍ2の面積をもつ壁又は天井パネルとの比較を示す。従って、同じ吸音性材が使用されているために、この図では、フラットな吸音材を使用する場合と、本発明に基づく三次元の１点の家具を使用する場合とで、吸音性に質的及び量的な差が示される。この場合も、低い周波数範囲（４００Ｈｚ未満）では、フラットな吸音材（曲線１３）を使用するよりも、三次元の１点の家具（曲線１０）を使用する方が、著しく高い吸音性が得られるが、１点の家具の投影面積の合計は、壁又は天井パネルの面積よりも著しく小さい。特に、１０００Ｈｚより上の高い周波数では、フラットな吸音材により優れた吸音性が得られる傾向となる。
【００４８】
それ故、本発明による家具システムは、ほぼ１００−４００Ｈｚの周波数において吸音する本発明による少なくとも１点の家具と、４００Ｈｚより高い周波数において吸音性を更に増幅して希望の吸音値を達成する少なくとも１つのフラットな吸音材との両方を備えている。本発明による家具システムの一例が図１１に示されている。このシステムは、図１に示すように変更された側面をもつ本発明による５点の家具２１ａ、・・・２１ｅと、複数のフラットな吸音材、即ち２つの壁吸音材２２、２３、及び１つの天井吸音材２４とを備えている。
【００４９】
本発明は、ここに示す実施形態に限定されない。特に、使用する家具は、その形状、サイズ、及び使用材料に関して変化し得る。１点の家具において、全ての外面（即ち、おそらくは、底部及び頂部も）を、より高い吸音性のために変更できるが、例えば、２つの側壁又は１つの側壁及び後壁だけを変更することも考えられる。本発明による家具システムの状況において、複数点の家具（異なるものを含む）及び複数のフラットな吸音材（異なるものを含む）を使用することができる。
【００５０】
要約すれば、本発明は、多数の部屋、特に、オフィス、仕事部屋、作業訓練室及び居間に一体化することができ、スペース節約であり、且つ部屋の音響性、特に、音質変化の減少に関して著しい改善を果たし得る家具システムを提供するということができる。
【図面の簡単な説明】
【００５１】
【図１Ａ】本発明による家具の概略図である。
【図１Ｂ】本発明による家具の概略図である。
【図２Ａ】本発明による１点の家具の側面のための孔付きシートの概略図である。
【図２Ｂ】側面のためのシートの縁領域を通る断面図である。
【図３】反響室において吸音測定を遂行するための本発明による家具の配列を示す図である。
【図４】従来の家具要素に対し周波数の関数として等価吸音面積を示すグラフである。
【図５】本発明による家具に対し周波数の関数として吸音面積を示すグラフである。
【図６】本発明による家具に対し周波数の関数として吸音面積を示すグラフである。
【図７】本発明による家具に対し周波数の関数として吸音面積を示すグラフである。
【図８】本発明による家具要素の吸音と、他の吸音材とを比較するグラフである。
【図９】本発明による家具要素の吸音と、他の吸音材とを比較するグラフである。
【図１０】本発明による家具要素の吸音と、他の吸音材とを比較するグラフである。
【図１１】本発明による家具システムの一実施例を示す図である。
【図１Ａ】
2009508599.tif 000006
【図１Ｂ】
2009508599.tif 000007
【図２Ａ】
2009508599.tif 000008
【図２Ｂ】
2009508599.tif 000009
【図３】
2009508599.tif 000010
【図４】
2009508599.tif 000011
【図５】
2009508599.tif 000012
【図６】
2009508599.tif 000013
【図７】
2009508599.tif 000014
【図８】
2009508599.tif 000015
【図９】
2009508599.tif 000016
【図１０】
2009508599.tif 000017
【図１１】
2009508599.tif 000018
【国際調査報告】
2009508599.tif 000019
2009508599.tif 000020
2009508599.tif 000021
2009508599.tif 000022
2009508599.tif 000023
2009508599.tif 000024